(57)【要約】【課題】  固定子巻線に含浸させるワニスを滴下したとき、口出し線を接続する端子台における導電板とネジがワニスに接着されることを防止する。【解決手段】  端子台４の口出し線７の導入口を覆うように、ワニス９と親和性を有さない素材で形成された第１の接着防止手段１０が設けられている。また、端子台４の内部には、導電板５とネジ６との係合部と口出し線導入口間に第２の接着防止手段１０’となる閉鎖板が設けられている。さらに、端子台４の口出し線導入口を囲むようにモータハウジング２には突出壁が第３の接着防止手段１０”として設けられている。ワニス供給用ノズル８から固定子巻線３に供給されたワニス９は、第１〜第３の接着防止手段１０，１０’，１０”で阻止され、導電板５とネジ６の係合部まで侵入せず、導電板５とネジ６のワニス９による接着を防止できる。【選択図】          図１
2005065440.tif 000002
【特許請求の範囲】
【請求項１】
固定子巻線の口出し線と端子台との接続部にワニスが侵入することを防止して、接続部の導電板とネジの接着を防止した接着防止手段を具備することを特徴とする回転電機。
【請求項２】
前記接着防止手段は、ワニスと親和性を有さない素材で構成され、端子台の口出し線導入口を覆い、口出し線を被覆するようにした請求項１に記載の回転電機。
【請求項３】
接着防止手段は、ゴムチューブであることを特徴とする請求項２に記載の回転電機。
【請求項４】
接着防止手段は、前記端子台とモータハウジング間の間隙に設けたゴムであることを特徴とする請求項１に記載の回転電機。
【請求項５】
接着防止手段は、前記端子台の内側に嵌合されたワニスの侵入を阻止する閉鎖板であることを特徴とする請求項１に記載の回転電機。
【請求項６】
接着防止手段は、巻線外周のモータハウジング内壁面に前記端子台取付部の周辺を取り囲む突出壁であることを特徴とする請求項１に記載の回転電機。
【請求項７】
前記モータハウジングの前記突出壁の外側にワニス通過用の孔が設けられている請求項６に記載の回転電機。
【発明の詳細な説明】
【技術分野】
【０００１】
本発明は、電動機等の回転電機に関する。
【背景技術】
【０００２】
電動機等の回転電機においては、固定子の絶縁性、耐熱性の向上や強度の向上を図るために、固定子巻線の各巻線間にワニスを含浸させている。このワニスを含浸させる方法としては、巻線に対してワニスを吹き付け塗布する方法、ワニスを収容した槽内に固定子を浸して巻線間に含浸させる方法、巻線に対してワニスを滴下して含浸する方法が取られている。  
ワニスを巻線に滴下して含浸させる方法は、固定子を水平方向（固定子の中心軸が水平方向）にして、該固定子を回転させながら、ワニスを巻線部に滴下することによって巻線間にワニスを含浸させるようにしている（特許文献１、２参照）
又、ワニスを巻線部に滴下するとき、固定子に設けられた軸受けブラケットとフレームを固定するためのスタットボルト通し穴にワニスが侵入し硬化し詰まり、スタットボルトの挿入ができなくなることを防止するために、このスタットボルト穴を閉鎖しておき、ワニスを滴下するようにしたものも知られている（特許文献３参照）
【０００３】
【特許文献１】特開平６−３２７２０３号公報
【特許文献２】特開２００１−２３１２２５号公報
【特許文献３】特開平７−９９７５８号公報
【発明の開示】
【発明が解決しようとする課題】
【０００４】
固定子巻線にワニスを滴下して含浸させる場合、固定子を水平方向に配置し、固定子を回転させながらワニスを巻線部に滴下する。そのため、巻線部を通過したワニスが、固定子巻線の口出し線と端子台との接続部まで侵入し、この端子台のネジと導電板を接着し、端子台が使用できなくなる場合がある。
【０００５】
図７は、回転電機の固定子巻線部の要部断面図で、従来から行われている固定子巻線にワニスを滴下して含浸させる方法の説明図である。図７において符号１は固定子であり、該固定子１はモータハウジング２に取り付けられている。又、固定子１には固定子巻線３が巻回されている。モータハウジング２には端子台４が取り付けられている。端子台４は対向する両端が開放された筒状に形成され、内部には、固定子巻線３の口出し線７と接続される導電板５と外部からの導線を電気的に接続するためのネジ６が設けられている。固定子巻線３の口出し線７は端子台４の内部で導電板５を介してネジ６により外部の導線に接続されるようになっている。
【０００６】
ワニスを固定子巻線３に含浸させるとき、図７に示すように固定子１を水平方向に配置して回転させながら、ワニス供給用ノズル８からワニス９を滴下させ、固定子巻線３にワニスを供給し含浸させる。そのため、固定子巻線３の部分を通過したワニス９がモータハウジング２，口出し線７を介して、端子台４の内部まで侵入する場合がある。このワニス９が導電板５とネジ６間まで侵入し、この間を接着し、ネジ６が固定され、端子台４が使用できなくなってしまう。  
本発明は、この問題を解決することにある。
【課題を解決するための手段】
【０００７】
本発明は、上述した問題を解決するために、固定子巻線の口出し線と端子台との接続部にワニスが侵入することを防止して、接続部の導電板とネジの接着を防止した接着防止手段を回転電機に設けた。そして、前記接着防止手段は、ワニスと親和性を有さない素材で構成され、端子台の口出し線導入口を覆い、口出し線を被覆するようにした。特に、この接着防止手段をゴムチューブで構成した。また、端子台とモータハウジング間の間隙にゴムを介在させて接着防止手段とした。また、端子台の内側にワニスの侵入を阻止する閉鎖板を嵌合して接着防止手段とした。もしくは、巻線外周のモータハウジング内壁面に前記端子台取付部の周辺を取り囲む突出壁を設けて、これを接着防止手段とした。さらに、この突出壁の外側にワニス通過用の穴を設け、溜まったワニスを排除するようにした。
【発明の効果】
【０００８】
固定子巻線と端子台との接続部にワニスが侵入することが防止され、この接続部のネジと固定子巻線が接続された導電板がワニスで固着されることはない。
【発明を実施するための最良の形態】
【０００９】
図１は、本発明の一実施形態の要部断面図である。１は回転電機の固定子、３は該固定子に巻回されている固定子巻線、２は固定子１が取り付けられているモータハウジング、４は該モータハウジング２に取り付けられた端子台である。両端が開放された筒状の端子台４には、固定子巻線３の口出し線７が内部に導かれ、この口出し線７の先端に固着された導電板５が端子台４のネジ６と係合し、該ネジ６により外部導線と導電板５を接続することにより、固定子巻線３と外部導線を電気的に接続するようになっている。そして本実施形態では、端子台４の導電板５とネジ６の係合部にワニス９が侵入することを防止して該導電板５とネジ６がワニス９により接着することを防止する第１，第２，第３の接着防止手段１０，１０’，１０”が設けられている。
【００１０】
第１の接着防止手段１０は、端子台４における固定子巻線３の口出し線７の導入口を覆うゴムやテフロン（登録商標）テープ等のワニスと親和性を有さない素材で構成されている。  
第２の接着防止手段１０’は、端子台４の内部の導電板５とネジ６の係合部と口出し線７の導入口間にワニスの侵入を阻止する閉鎖板で構成されている。  
第２の接着防止手段１０’は、モータハウジング２における端子台４の口出し線導入口を囲む位置に、周囲より高い突出壁を設けて、ワニス９が端子台４に侵入することを阻止しするようにして、この突出壁によって接着防止手段を構成している。
【００１１】
固定子巻線３にワニス９を含浸させるために、ワニス供給用ノズル８からワニス９を滴下させたとき、固定子巻線３を通過したワニス９は、モータハウジング２の部分まで侵入する。モータハウジング２を伝って流れてくるワニス９は、第３の接着防止手段１０”の突出壁によつて端子台４の内部への侵入が阻止される。また、口出し線７を伝って流れてくるワニス９は、第１の接着防止手段１０によって端子台４内部への侵入が阻止される。さらに、端子台４の内部まで侵入するワニス９があっても、第２の接着防止手段１０’の閉鎖板によって、導電板５とネジ６との係合部まで侵入することが阻止される。よって、導電板５とネジ６がワニス９で接着されることはない。
【００１２】
図２は、端子台４に装着する第１の接着防止手段１０の第１の実施例である。この図２に示す実施例では、端子台４の口出し線導入側の端部に第１の接着防止手段１０を構成するゴムチューブ１０-1をはめ、ゴムチューブの圧縮力によつて、端子台４に固定する。そして、各相の口出し線７Ｕ，７Ｖ，７Ｗを束ねて該ゴムチューブ１０-1で被覆する。
【００１３】
又、図３は、端子台４に装着する第１の接着防止手段１０の第２の実施例である。この第２の実施例では、接着防止手段１０を構成するゴムチューブ１０-2の先端が、各相のそれぞれの口出し線７Ｕ，７Ｖ，７Ｗを通す穴が形成されており、該穴を通して各口出し線７Ｕ，７Ｖ，７Ｗがゴムチューブを貫通するように形成されている。
【００１４】
図４は、端子台４に装着する第１の接着防止手段１０の第３の実施例である。この第３の実施形態は、端子台４をモータハウジング２の装着孔に取り付け、このモータハウジング２と端子台４の間の間隙に接着防止手段１０を構成するゴム１０-3を噛ませるようにしたものである。
【００１５】
図５は、端子台４の内部に設けた第２の接着防止手段１０’の一実施例である。この第２の接着防止手段１０’は、端子台４の内部にワニス侵入阻止用の閉鎖板で構成されている。導電板５とネジ６との係合部より上部で、端子台４の口出し線７の導入口までの間に、この端子台４の貫通孔を閉鎖するように閉鎖板が設けられるものである。この第２の接着防止手段１０’を構成する閉鎖板は、図５（ｂ）に示すように、口出し線を貫通させる孔１１が設けられている。各相の口出し線を束ねて１つとしたときは、１つの孔１１を設ければよい。又、複数の孔（図では２つの孔）１１を設けて分割して口出し線７を通すようにしてもよい。
【００１６】
図６は、モータハウジングに設けた第３の接着防止手段１０”の一実施例である。端子台４が取り付けられるモータハウジング２の位置において、端子台４の口出し線７を導入する導入口の周囲を囲むようにモータハウジング２に周囲から突出した突出壁が設けられ、該突出壁によって第３の接着防止手段１０”を形成している。また、モータハウジング２の突出壁（１０”）の外周部には貫通孔１２が設けられている。  
固定子巻線３を通過したワニス９は、モータハウジング２に落下して、該モータハウジング２を伝って端子台４の口出し線７の導入口に侵入しようとしても、この突出壁で構成された第３の接着防止手段１０”によって、端子台４の内部への侵入が阻止される。また、突出壁（１０”）で阻止されたワニス９は、貫通孔１２を通って排出されるので、突出壁（１０”）を乗り越えてワニスが端子台４の内部に侵入することはない。なお、第３の接着防止手段１０”を構成する突出壁は、モータハウジング２と一体的に形成しても、モータハウジング２に溶接等で付加してもよいものである。
【００１７】
上述したように３種類の接着防止手段１０，１０’，１０”を図１に示すように全て用いるようにしても、いずれか１つの接着防止手段を用いてもよく、多くの種類の接着防止手段を用いれば、用いるほど端子台内部の導電板５とネジ６との係合部へのワニスの侵入が防止され、導電板５とネジ６の接着をより確実に防止できる。
【図面の簡単な説明】
【００１８】
【図１】本発明の一実施形態の要部断面図である。
【図２】同実施形態における第１の接着防止手段の第１の実施例である。
【図３】同実施形態における第１の接着防止手段の第２の実施例である。
【図４】同実施形態における第１の接着防止手段の第３の実施例である。
【図５】同実施形態における第２の接着防止手段の一実施例である。
【図６】同実施形態における第３の接着防止手段の一実施例である。
【図７】従来から行われている固定子巻線にワニスを滴下して含浸させる方法の説明する回転電機の固定子巻線部の要部断面図である。
【符号の説明】
【００１９】
１  固定子
２  モータハウジング
３  固定子巻線
４  端子台
５  導電板
６  ネジ
７  口出し線
８  ワニス供給用ノズル
９  ワニス
１０  第１の接続防止手段
１０’  第２の接続防止手段
１０”  第３の接続防止手段
１１  孔
１２  貫通孔
【図１】
2005065440.tif 000003
【図２】
2005065440.tif 000004
【図３】
2005065440.tif 000005
【図４】
2005065440.tif 000006
【図５】
2005065440.tif 000007
【図６】
2005065440.tif 000008
【図７】
2005065440.tif 000009